(57)【特許請求の範囲】
【請求項１】
長方形の外フィルム(2)と長方形の内フィルム(3)との間にシート状食品(4)を挟んで、内外の両フィルム(2)(3)の外周部を溶着し、内フィルム(3)上から左右両側に端面被せ片(51)(51)を突設してなり、該端面被せ片(51)(51)を包装すべき棒状食品(7)の両端面に被せてから、棒状食品(7)の外周に巻き付けて包装するための包装シート(1)において、
内フィルム(3)の上に両端を内フィルム(3)からはみ出して帯状フィルム(5)を溶着し、帯状フィルム(5)の両端はみ出し部を前記端面被せ片(51)(51)となし、
帯状フィルム(5)の端面被せ片(51)(51)間の中央部に、帯状フィルム(5)を２分できる分断可能部(52)を設け、外フィルム(2)及び内フィルム(3)も帯状フィルム(5)の分断可能部(52)の位置に対応して夫々２分できる分断可能部(22)(32)を設けており、
包装シート(1)の棒状食品(7)に対する巻付け終端(12)には該終端(12)を止着するためのラベル(6)が該終端(12)からはみ出して貼着されており、
棒状食品(7)を包装して包装シート(1)の巻付け終端(12)をラベル(6)で止着した状態で、ラベル(6)は包装シート(1)の巻付け開始端(11)からはみ出さない位置にあり、前記ラベル(6)には包装シート(1)の巻付け終端(12)に貼り付いている部分から反対方向にラベル(6)を剥がす様に指示する表示(65)が施されている、包装シート。
【請求項２】
帯状フィルム(5)は、その端面被せ片(51)(51)とシート状食品(4)の間にて、帯状フィルムの幅方向に向けて内フィルム(3)に溶着(53)されている、請求項１に記載の包装シート。
【請求項３】
外フィルム(2)及び内フィルム(3)は、夫々略同形のフィルム片(21)(21)、(31)(31)の内端どうしを重ねて形成されている、請求項１又は請求項２に記載の包装シート。
【請求項４】
前記ラベル(6)には、内、外両フィルム(2)(3)及び帯状フィルム(5)の分断可能部(22)(32)(52)に対応して長さ方向の中央部に分断可能部(62)が形成されている、請求項１乃至請求項３の何れかに記載の包装シート。
【請求項５】
長方形の外フィルム(2)と長方形の内フィルム(3)との間にシート状食品(4)を挟んで、内外の両フィルム(2)(3)の外周部を溶着し、内フィルム(3)上から左右両側に端面被せ片(51)(51)を突設してなる包装シート(1)の内フィルム(3)側に棒状食品(7)を載せ、端面被せ片(51)(51)を該棒状食品(7)の両端面に被せてから、包装シート(1)を棒状食品(7)の外周に巻き付けて包装した包装棒状食品において、
内フィルム(3)の上に両端を内フィルム(3)からはみ出して帯状フィルム(5)を溶着して、帯状フィルム(5)の両端はみ出し部を前記端面被せ片(51)(51)となし、
帯状フィルム(5)の端面被せ片(51)(51)間の中央部に帯状フィルム(5)を長さ方向の中央部で2分できる分断可能部(52)を設け、外フィルム(2)及び内フィルム(3)も帯状フィルム(5)の分断可能部(52)の位置に対応して夫々２分できる分断可能部(22)(32)を設けており、
包装シート(1)の巻付け終端(12)はラベル(6)を貼着して止着されており、
前記ラベル(6)は、包装シート(1)の巻き付け開始端(12)からはみ出さない位置にあり、前記ラベル(6)には包装シート(1)の巻付け終端(11)に貼り付いている部分から反対方向にラベル(6)を剥がす様に指示する表示(65)が施されている、包装棒状食品。
【請求項６】
帯状フィルム(5)は、その端面被せ片(51)(51)とシート状食品(4)の間にて、帯状フィルムの幅方向に向けて内フィルム(3)に対して溶着(53)されており、該溶着部(53)で端面被せ片(51)(51)が折り返されて棒状食品(7)の端面に被さっている、請求項５に記載の包装棒状食品。
【請求項７】
外フィルム(2)及び内フィルム(3)は、夫々略同形のフィルム片(21)(21)、(31)(31)の内端どうしを重ねて形成されている、請求項５又は請求項６に記載の包装棒状食品。
【請求項８】
前記ラベル(6)には、内、外両フィルム(2)(3)及び帯状フィルム(5)の分断可能部(22)(32)(52)に対応して長さ方向の中央部に分断可能部(62)が形成されている、請求項５乃至請求項７に記載の包装棒状食品。
【発明の詳細な説明】
【技術分野】
【０００１】
本発明は、内フィルムと外フィルムの間にシート状食品を挟んでなる包装シート、及び該包装シートによって棒状食品を包装した包装棒状食品に関するものである。
【背景技術】
【０００２】
出願人は以前に、図６乃至図９に示す包装シート及び該包装シート(1)によって棒状飯(71)を包装することを提案した(特許文献１)。
該包装シート(1)は、内フィルム(3)と外フィルム(2)の間にシート状の海苔(41)を挟み、内フィルム(3)上に、両端が内フィルム(3)からはみ出た帯状フィルム(5)を具えている。
帯状フィルム(5)の両端はみ出し部は、棒状飯(71)の両端面に被さる端面被せ片(51)(51)となっている。
内フィルム(3)は２枚のフィルム片(31)(31)の内端を重ねて形成され、該フィルム片(31)(31)の重なり部が分断可能部(32)となり、該分断可能部(32)は棒状飯(71)に対する包装シート(1)の巻き方向の中央部に位置して棒状飯(71)の長さ方向に沿っている。
外フィルム(2)は棒状飯(71)の巻き方向の中央部に、棒状飯(71)の長さ方向に沿って断続的な切込みを施して分断可能部(22)となしている。
帯状フィルム(5)には内フィルム(3)の分断可能部(32)に重なる様に、断続的な切込みを施して分断可能部(52)となしている。帯状フィルム(5)は内フィルム(3)に溶着(50)されている。
【０００３】
上記包装シート(1)によって棒状飯(71)を包装するには、図８に示す如く、帯状フィルム(5)上に棒状飯(71)を載せ、該帯状フィルム(5)両端の端面被せ片(51)(51)を棒状飯(71)の両端面に被さる様に内側に折り返し、この状態で包装シート(1)を棒状飯(71)の周面に巻き付け、図９ａに示す如く、巻付け終端(12)をラベル(6)にて止める。
【０００４】
棒状飯(71)を食するには、図９ｂに示す如く、ラベル(6)を剥がして、包装シート(1)の半分を展開し、一方の手で包装シートの上から棒状飯(71)を支持して、他方の手で包装シートの展開部を摘んで引っ張る。
外フィルム(2)、内フィルム(3)及び帯状フィルム(5)は夫々分断可能部(22)(32)(52)で分断されて、半分づつ張り出される。これによって、図５ｃに示す如く、海苔(41)の半分が露出する。
次に、棒状飯(71)に被さった残りの包装シートを展開して外側に引っ張り出すと、シート状食品(4)が完全に露出するから、これを棒状飯(71)に巻き付ければよい。
【０００５】
上記した包装シートの他に、内フィルムの左右両端に２枚の端面被せ片を溶着した包装シートや内フィルムと一体に端面被せ片を突設した包装シトも提案されている。
【特許文献１】特許公開２００３−３４３８１
【発明の開示】
【発明が解決しようとする課題】
【０００６】
上記の図示した包装棒状飯の包装を解く際に、最初に展開した包装シート(1)の半分を一方の手で引っ張り出すとき、他方の手で棒状飯(71)を丸掴みして支持することはできず、掌が棒状飯(71)の円周の１／２程度の範囲に掛かって支持できるだけであるから、支持が不安定で、棒状飯(71)が滑り落ちてしまうことがあった。
【０００７】
又、内フィルムの左右両端に２枚の端面被せ片を溶着した包装シートの場合、端面被せ片を内フィルムに溶着する際に、端面被せ片を支持することが難しく、包装シート製造の機械化に際しメカニズムが複雑となり、コスト高となる。
内フィルムと一体に端面被せ片を突設した包装シートの場合、フィルムの形状が矩形ではなく、変形であるから、包装シート製造の自動化に際し、やはりメカニズムが複雑となって、コスト高となる。
本発明は上記問題を解決できる包装シート及び包装棒状食品を明らかにするものである。
【課題を解決するための手段】
【０００８】
本発明の包装棒状食品は、長方形の外フィルム(2)と長方形の内フィルム(3)との間にシート状食品(4)を挟んで、内外の両フィルム(2)(3)の外周部を溶着し、内フィルム(3)上から左右両側に端面被せ片(51)(51)を突設してなる包装シート(1)の内フィルム(3)側に棒状食品(7)を載せ、端面被せ片(51)(51)を該棒状食品(7)の両端面に被せてから、包装シート(1)を棒状食品(7)の外周に巻き付けて包装した包装棒状食品において、
内フィルム(3)の上に両端を内フィルム(3)からはみ出して帯状フィルム(5)を溶着して、帯状フィルム(5)の両端はみ出し部を前記端面被せ片(51)(51)となし、
帯状フィルム(5)の端面被せ片(51)(51)間の中央部に帯状フィルム(5)を長さ方向の中央部で２分できる分断可能部(52)を設け、外フィルム(2)及び内フィルム(3)も帯状フィルム(5)の分断可能部(52)の位置に対応して夫々２分できる分断可能部(22)(32)を設けており、
包装シート(1)の巻付け終端(12)はラベル(6)を貼着して止着されており、
前記ラベル(6)は、包装シート(1)の巻き付け開始端(12)からはみ出さない位置にあり、前記ラベル(6)には包装シート(1)の巻付け終端(11)に貼り付いている部分から反対方向にラベル(6)を剥がす様に指示する表示(65)が施されている。
【０００９】
本究明の包装シートは、長方形の外フィルム(2)と長方形の内フィルム(3)との問にシート状食品(4)を挟んで、内外の両フィルム(2)(3)の外周部を溶着し、内フィルム(3)上から左右両側に端面被せ片(51)(51)を突設してなり、該端面被せ片(51)(51)を包装すべき棒状食品(7)の両端面に被せてから、棒状食品(7)の外周に巻き付けて包装するための包装シート(1)であって、
内フィルム(3)の上に両端を内フィルム(3)からはみ出して帯状フィルム(5)を溶着し、帯状フィルム(5)の両端はみ出し部を前記端面被せ片(51)(51)となし、
帯状フィルム(5)の端面被せ片(51)(51)間の中央部に、帯状フィルム(5)を２分できる分断可能部(52)を設け、外フィルム(2)及び内フィルム(3)も帯状フィルム(5)の分断可能部(52)の位置に対応して夫々２分できる分断可能部(22)(32)を設けており、
包装シート(1)の棒状食品(7)に対する巻付け終端(12)には該終端(12)を止着するためのラベル(6)が該終端(12)からはみ出して貼着されており、
棒状食品(7)を包装して包装シート(1)の巻付け終端(12)をラベル(6)で止着した状態で、ラベル(6)は包装シート(1)の巻付け開始端(11)からはみ出さない位置にあり、前記ラベル(6)には包装シート(1)の巻付け終端(11)に貼り付いている部分から反対方向にラベル(6)を剥がす様に指示する表示(65)が施されている。
【発明の効果】
【００１０】
本発明の包装棒状食品の包装を解く際に、一方の手で外フィルム(2)の分断可能部(22)に接近して包装棒状食品を丸掴み(棒を握る様に掴む)し、他方の手で包装棒状食品の反対側端部を外側に引っ張る。
外フィルム(2)及び内フィルム(3)は、分断可能部(22)(32)で分断して、外側に引き抜かれ、シート状食品(4)の半分が露出して、棒状食品(7)に直に被さる。
露出したシート状食品(4)の上から棒状食品(7)を丸掴みして、残り半分の包装シート(1)の外端を他方の手で外側に引っ張って、残りのフィルムを引き抜く。
残り半分のシート状食品(4)も露出して、棒状食品(7)に直に被さる。
上記の如く、包装シートの外端を引っ張る際に、棒状食品(7)を丸掴みして安定して支持できるから、棒状食品(7)が落下することを防止できる。
【００１１】
尚、シート状食品(4)の巻き付け終端(12)を、該終端(12)の方向に長く、外フィルム(2)の分断可能部(22)に対応して分断可能部(62)を有するラベル(6)で止著した場合、ラベル(6)の分断可能部(62)を予め分断しておいた方が、上記手順で包装シート(1)の包装を解き易い。
ラベル(6)を分断するに際し、一方の手で包装棒状食品を丸掴みして安定して支持できる。
【００１２】
本発明の包装シートは、帯状フィルム(5)の両端を内フィルム(3)からはみ出させて端面被せ片(51)(51)とするから、2枚の端面被せ片を内フィルム(3)に溶着する場合に較べて、端面被せ片(51)(51)の支持が容易となり、機械化が容易となる。
【発明を実施するための最良の形態】
【００１３】
図１乃至図３示す如く、包装シート(1)は、外フィルム(2)と内フィルム(3)との間にシート状食品(4)を挟み、内フィルム(3)上に両端を内フィルム(3)から大きくはみ出させて帯状フィルム(5)を被せて構成されている。
【００１４】
実施例のシート状食品(4)は、長さ約１９０m、幅長さ約１０５mmのシート状海苔(以下、単に「海苔」とする)であって、全形海苔の１／２の大きさである。
外フィルム(2)及び内フィルム(3)は、海苔(41)よりも少し大きな矩形である。
棒状食品(7)の長さと太さは、海苔(41)が棒状食品(7)の外周を略完全に覆って１周強巻き付け可能な大きさである。
棒状食品(7)は、長さ約１９０mm、直径約３０mmのロール状であり、実施例では棒状飯(71)である。
【００１５】
外フィルム(2)及び内フィルム(3)は、共に2枚の略同形状のフィルム片(21)(21)、(31)(31)の内端部を約１０m幅で重ね合わせて形成されており、該重なり部が分断可能部(22)(32)となっている。
外フィルム(2)の分断可能部(22)は、複数箇所に容易に剥離可能に線状に溶着(23)されている。
内フィルム(3)の分断可能部(32)は、フィルム片(31)(31)の内端が重なっているだけであるが、外フィルム(2)と同様にして、溶着してもよい。
【００１６】
図３に示す如く、内フィルム(3)と外フィルム(2)の外周縁は、互いの分断可能部(22)(32)に掛からない様に、線状に溶着(13)して接合されている。
【００１７】
いいい1に示す如く、帯状フィルム(5)は、内フィルム(3)の2枚のフィルム片(31)(31)に跨つて、内フィルム(3)の分断可能部(32)と直交する端縁に揃う様に、内フィルム(3)に被さっている。
帯状フィルム(5)の長さは、前記棒状飯(71)の長さに棒状飯(71)の直径の約4倍を加えた長さ、即ち、約３１０mmである。帯状フィルム(5)の幅は棒状飯(71)の太さの約2倍の長さ、即ち、約６０mmである。
帯状フィルム(5)は、棒状飯(71)の直径の2倍程度の長さで内フィルム(3)の両端からはみ出している。
帯状フィルム(5)は、その端面被せ片(51)(51)とシート状食品(41)の間にて、帯状フィルムの幅方向に向けて内フィルム(3)に線状に溶着(53)(53)されている。
【００１８】
帯状フィルム(5)の長さ中央には、長さ方向と直交する方向に帯状フィルム(5)を分断できる分断可能部(52)が設けられている。実施例では、帯状フィルム(5)に断続的な切込みを施して分断可能部(52)としているが、フィルムに線状に細溝を施す、所謂「ハーフカット」によって、分断可能部(52)を形成することもできる。
包装シート(1)は、帯状フィルム(5)側が巻き付け開始側となる。
【００１９】
実施例の包装シート(1)には、棒状飯(71)を包装する前に、包装シート(1)に予め巻付け終端(12)を止着するためのラベル(6)が取り付けられている。
ラベル(6)は、長さが包装シート(1)の長さ(約２１０m)の３／４程度もあり、幅長さは約３０m、裏面が粘着面(61)となっている。
ラベル(6)の長さ方向の中央部に、ラベル(6)を1／2に分断できる分断可能部(62)が設けられている。該分断可能部(62)は、ラベル(6)の長さ方向に直交する方向に施した断続的な切込み(63)である。
【００２０】
ラベル(6)は、その分断可能部(62)を外フィルム(2)の分断可能部(22)の位置に対応させて、外フィルム(2)側から包装シート(1)の巻付け終端(12)に貼り付けている。
ラベル(6)は、全長に亘ってその幅長さの１／２である１５mm幅が包装シート(1)の巻付け終端(12)からはみ出している。
【００２１】
ラベル(6)には、図４ａに示す如く、包装シート(1)の巻付け終端(12)に被さっている部分から反対側ヘラベル(6)を剥がす様に指示する表示(65)が施されており、実施例の表示(65)は、剥がす方向を示す矢印表示と、文字表示の併用である。
【００２２】
尚、包装シート(1)の内、外両フィルム(2)(3)の幅長さ、即ち、包装シート(1)の棒状飯(71)を巻き付ける巻き方向の長さは、棒状飯(71)を１周して約２５mm余る長さである。
【００２３】
然して、上記包装シート(1)によって棒状飯(71)を包装するには、図１に示す如く、包装シート(1)の巻付け開始端(11)側に位置する帯状フィルム(5)上に棒状飯(71)を載せ、帯状フィルム(5)の端面被せ片(51)(51)を棒状飯(6)の両端面に被さる様に内側へ折り返す。
帯状フィルム(5)は、その端面被せ片(51)(51)とシート状食品(4)の間にて、帯状フィルムの幅方向に向けて内フィルム(3)に溶着(53)(53)されているから、その溶着部を正にして美しく折り返すことができる。端面被せ片(51)(51)の折り位置にバラツキが生じないから、品質の斑を無くすことができる。
【００２４】
次に、包装シート(1)を巻付け開始端(11)側から棒状飯(6)の周面に巻き付け、巻付け終端(12)を巻き付け開始端(12)の上に重ねると共に、ラベル(6)によって巻付け終端(12)を止着する(図４ａ)。
【００２５】
図４ａに示す如く、包装シート(1)の巻付け終端(12)は、巻付け開始端(11)の上に約２５m幅で重なり、ラベルは巻付け終端(12)から内側に約１５mm重なっているから、ラベル(6)は、巻付け開始端(11)から約１０mm内側に位置していることになる。
ラベル(6)の横長さは、包装シート(1)の巻付け終端(12)の長さの３／４程度もあるから、該巻付け開始端(11)をその両端側が捲れることのない様に、しっかりと止着できる。
【００２６】
上記包装棒状飯は、海苔(41)は、外フィルム(2)と内フィルム(3)に挟まれており、外気や棒状飯(71)からの湿気から遮断され、パリパリ感を失わない。棒状飯(71)は周面は勿論のこと端面にも端面被せ片(51)(51)が被さっているため、衛生的であり、又、棒状飯(71)の乾燥が防止され風味を損なわない。
【００２７】
棒状飯(71)を食するには、図４ｂに示す如く、一方の手で包装棒状飯の半分を丸掴みして支持し、他方の手でラベル(6)の半分(63)をその指示方向へ剥離する。即ち、ラベル(6)が包装シート(1)の巻付け終端(12)に被さっている部分から反対側へ剥離する。ラベル(6)は分断可能部(62)で分断される。
ラベル(6)の半分(63)を完全に包装シート(1)から剥離する必要はなく、包装シート(1)の巻付け終端(12)を開放できる迄剥離すればよい。
【００２８】
次に、包装棒状飯の巻付け終端(12)を開放した側を一方の手で丸掴みして、他方の手でラベル(6)の残り半分(64)を、その指示方向へ包装シート(1)の巻付け終端(12)を開放するまで剥離する(図４ｃ)。
包装シート(1)の巻付け終端(12)がラベル(6)の止着から完全に解放されると、該巻付け終端(12)が自然に棒状飯(71)から離れる様に起きあがり、これによって、該巻付け終端(12)の下側の巻付け開始端(11)も自然に起き上がる。
【００２９】
次に、包装棒状飯の一端側を丸掴みしたまま、包装棒状飯の反対側の包装シート(1)の端部を、図４ｃの矢印で示す如く、外側に引っ張る。外フィルム(2)と内フィルム(3)は夫々分断可能部(22)(32)で分断して、互いの半分のフィルム片(21)(31)が一緒に引き出される。これによって海苔(41)の1／2が露出して、棒状飯(71)に直に被さる。
フィルム引張り側の包装シート(1)の巻付け開始端(11)と巻付け終端(12)は、前記の如く、棒状飯(71)が離れる方向に起きあがって、棒状飯(71)を締め付けていないから、容易にフィルムを引っ張りだすことができる。この場合でも、海苔(41)と棒状飯(71)との間のフィルム片(31)を引っ張る際には、引っ掛かる様な抵抗が作用するが、他方の手で包装棒状飯を丸掴みして強く支持できるから、安定して引っ張り出すことができる。
【００３０】
次に、海苔(41)が露出した側の棒状飯(71)を丸掴みして、残り半分の包装シートの端部を外側に引っ張って、外フィルム(2)と内フィルム(3)の夫々残り半分のフィルム片(21)(31)を一緒に引き出す。
海苔(41)の残り半分も露出して直に棒状飯(71)に被さり、包装を解く作業が終了する。
【００３１】
上記包装を解く工程において、ラベル(6)の半分(63)を剥離した後、該剥離側の棒状飯(71)を丸掴みする際に、捲れ上がったラベル(6)の粘着面(61)が掌に引っ付いて不快感があったり、次の工程に進み難いことがある。
その場合は、剥離したラベル(6)の半分(63)を、包装シート(1)の巻付け終端(12)ではなく、巻付け開始端(11)上に貼り戻しておけば、該半分(53)の粘着面(61)が包装シート(1)からはみ出ることはなく、掌に接することもないので、上記問題は生じない。ラベル(6)の他の半分(64)についても、同様である。
【００３２】
図５は、縦長の包装シート(1)の実施例を示している。構成については図１と同様であり、図１の横長の包装シート(1)で用いた符号を付すことで説明に代える。
【００３３】
上記説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００３４】
例えば、外フィルム(2)の分断可能部(22)の剥離可能な溶着(23)を省略することができる。
外フィルム(2)と内フィルム(3)は外周が溶着(13)されており、内フィルム(3)の両フィルム片(31)(31)と帯状フィルム(5)が溶着(53)(53)されいるから、外フィルム(2)と内フィルム(3)の夫々のフィルム片(21)(21)、(31)(31)が自然に分断されることはない。
【００３５】
又、外フィルム(2)及び／又は内フィルム(3)の分断可能部(22)(32)は、フィルムに断続的に切込みを施したり線状の溝(ハーフカット)を施しても実施できる。
【図面の簡単な説明】
【００３６】
【図１】包装シートの斜視図である。
【図２】図１Ａ−Ａ線に沿う断面図である。
【図３】包装シートの分解斜視図である。
【図４】ａ図は包装棒状飯の斜視図、ｂ図はラベルの半分を剥離した状態の包装棒状飯の斜視図、ｃ図は包装シートの両端を開放した状態の包装棒状飯の斜視図である。
【図５】他の実施例である縦長の包装シートの斜視囲である。である。
【図６】従来例の包装シートの分解斜視図である。
【図７】図６において、内フィルムに帯状フィルムを溶着した状態の斜視図である。
【図８】従来の包装シートに棒状飯を載せた状態の斜視図である。
【図９】ａ図は従来の包装棒状飯の斜視図、ｂ図は包装シートの半分を展開した状態の斜視図、ｃ図は海苔を半分露出させた状態の斜視図である。
【符号の説明】
【００３７】
1  包装シート
2  外フィルム
22  分断可能部
3  内フィルム
32  分断可能部
4  シート状食品
5  帯状フィルム
51  端面被せ片
52  分断可能部
6  ラベル
62  分断可能部
7  棒状食品
【図１】
0005243848.tif 000002
【図２】
0005243848.tif 000003
【図３】
0005243848.tif 000004
【図４】
0005243848.tif 000005
【図５】
0005243848.tif 000006
【図６】
0005243848.tif 000007
【図７】
0005243848.tif 000008
【図８】
0005243848.tif 000009
【図９】
0005243848.tif 000010